(57)【要約】【課題】試薬を長期に亘り安定して保存が可能で、かつ試薬の溶解性と混合性が高い試薬保持容器、およびこれを備えた検体検出装置を提供する。【解決手段】試薬保持容器３２ａ、３２ｃは、内面に凹部を有し、少なくともこの凹部に試薬が乾燥保持される。検体検出装置は、検査器を装着可能な検査部２４、およびこの検査部を通って延び検体を流す微小流路２８を有する送液カセット２０と、送液カセットに接続され、微小流路に連通する試薬保持容器と、を備えている。【選択図】    図８
2010217102.tif 000002
【特許請求の範囲】
【請求項１】
内面に凹部を有し、少なくとも前記凹部に試薬が乾燥保持される試薬保持容器。
【請求項２】
伸縮可能な蛇腹構造部を含み、前記蛇腹構造部に試薬が乾燥保持される請求項１に記載の試薬保持容器。
【請求項３】
閉塞した一端と開口した他端とを有する筒状に形成され、前記蛇腹構造部が前記一端と他端との間に設けられている請求項１又は２に記載の試薬保持容器。
【請求項４】
耐ガンマ線添加剤を含有する材料で形成されている請求項１に記載の試薬保持容器。
【請求項５】
１２０℃までの耐熱性を有する請求項１記載の試薬保持容器。
【請求項６】
遮光率９０％以上の材質で形成されている請求項１に記載の試薬保持容器。
【請求項７】
検査器を装着可能な検査部、およびこの検査部を通って延び検体を流す微小流路を有する送液カセットと、
前記送液カセットに接続され、前記微小流路に連通する請求項１ないし６のいずれか１項に記載の試薬保持容器と、
を備える検体検出装置。
【請求項８】
前記試薬保持容器を伸縮させ、液体を前記試薬保持容器内と前記微小流路との間で押し出しあるいは引き込みする駆動機構を備えている請求項７に記載の検体検出装置。
【請求項９】
前記送液カセットは、前記駆動機構に対して、取り外し自在に接続されている請求項８に記載の検体検出装置。
【発明の詳細な説明】
【技術分野】
【０００１】
本発明は、核酸、酵素等を含む試薬を長期間に亘って保持する試薬保持容器、およびこの試薬保持容器を用いて核酸等の検体を検出する検体検出装置に関する。
【背景技術】
【０００２】
近年の遺伝子工学の発展に伴い、医療分野では、遺伝子による病気の診断或いは予防が可能となりつつある。これは遺伝子診断と呼ばれ、病気の原因となるヒトの遺伝子欠陥、変化を検出することで病気の発症前もしくは極めて初期段階での病気の診断や予測をすることが出来る。また、ヒトゲノムの解読とともに、遺伝子型と疫病との関連に関する研究が進み、各個人の遺伝子型に合わせた治療（テーラーメイド医療）も現実化しつつある。従って、遺伝子の検出並びに遺伝子型の決定を簡便に行うことは非常に重要となっている。
【０００３】
一方、１つのデバイス内において、複数の試薬が関わる複数の反応を順次行うことのできるμ−ＴＡＳと呼ばれるデバイスが盛んに研究開発されている。これらは試薬保持領域、反応領域、センサー領域などから成り、それらをつなぐ流路を備えることが特徴である。これを応用し、核酸を検出するための検出装置も開発されている（例えば、特許文献１、特許文献２）。核酸検出を行う場合、複数の試薬を使用し、複数の反応を行う必要がある。試薬として、一般に、核酸の増幅や検出のための試薬、例えばＤＮＡプライマー、酵素、蛍光色素などの標識試薬、あるいは、バッファ等が用いられる。
【０００４】
このような核酸検出装置における試薬保持に関して要求される点は主に以下の２項目が挙げられる。１つは、試薬の長期保存性である。試薬は、予めカセット内に凍結または乾燥にて保持することが一般的であるが、試薬を乾燥保持した場合、乾燥試薬が振動等の原因によりカセット内で飛散する可能性がある。乾燥した試薬は濃縮されているため、僅かな試薬量の減少が検査精度の低下を招く。また、飛散した試薬が他のチャンバに到達し、反応を阻害する可能性もある。したがって、試薬は、飛散等することなく確実に試薬保持容器に保持されることが要求される。
【０００５】
２つ目の重要な項目として、カセットに保持された試薬が必要な時に確実に溶解、混合される必要がある。これは、試薬の溶け残りがあると、反応の精度が大幅に落ち得るからである。しかし、簡便で安価な構造でありながら、前記２点の条件を満たすデバイス構造の実現は困難であった。
【先行技術文献】
【特許文献】
【０００６】
【特許文献１】特許第４１２７６７９号
【特許文献２】特開２００８−２６３９５９号公報
【発明の概要】
【発明が解決しようとする課題】
【０００７】
上述したように、従来の保存容器および検体検出装置では、カセット内の乾燥試薬がカセット内の他領域に飛散してしまい長期保存することが難しい点、および、保持試薬が十分に溶液に溶解、混合され難いという点がある。これらの条件に加えて、コスト低減や検出デバイスの組み立ての容易さがも要求される。
【０００８】
この発明は、上記事情に鑑みなされたもので、その目的は、試薬を長期に亘り安定して保存が可能で、かつ試薬の溶解性と混合性が高い試薬保持容器、およびこれを備えた検体検出装置を提供することにある。
【課題を解決するための手段】
【０００９】
この発明の態様によれば、試薬保持容器は、内面に凹部を有し、少なくともこの凹部に試薬が乾燥保持される。検体検出装置は、検査器を装着可能な検査部、およびこの検査部を通って延び検体を流す微小流路を有する送液カセットと、送液カセットに接続され、微小流路に連通する前記試薬保持容器と、を備えている。
【発明の効果】
【００１０】
上記構成によれば、試薬を長期に亘り安定して保存が可能で、かつ試薬の溶解性と混合性が高い試薬保持方法、試薬保持容器、およびこれを備えた検体検出装置を提供することができる。
【図面の簡単な説明】
【００１１】
【図１】図１は、この発明の第１の実施形態に係る試薬保持容器を示す斜視図。
【図２】図２は、前記試薬保持容器の伸長状態および伸縮状態を示す断面図。
【図３】図３は、内面に試薬が保持された前記試薬保持容器を示す断面図。
【図４】図４は、他の実施形態に係る試薬保持容器をそれぞれ示す断面図。
【図５】図５は、更に他の実施形態に係る試薬保持容器を示す斜視図。
【図６】図６は、この発明の第２の実施形態に係る検体検出装置の送液カセットおよび試薬保持容器を示す斜視図。
【図７】図７は、前記検体検出装置の裏面側を示す斜視図。
【図８】図８は、前記検体検出装置の断面図。
【図９】図９は、前記検体検出装置による検体の検出結果を示すグラフ。
【発明を実施するための形態】
【００１２】
以下、図面を参照しながら、この発明の実施形態に係る試薬保持容器およびこれを備えた検体検出装置について詳細に説明する。  
図１、図２、図３は、第１の実施形態に係る試薬保持容器を示している。図１および図２に示すように、試薬保持容器１０は、下端１０ａが閉塞し、上端部１０ｂが開口した円筒形状に形成され、その中途部に、伸縮可能な蛇腹構造部１２を有している。試薬保持容器１０は、一般的な蛇腹付きストローなどの一部と類似した構造を有している。保持容器１０の下端１０ａには、板状の把持部１４が容器と一体に形成され、保持容器の下端１０ａから保持容器の軸方向、すなわち、伸縮方向、に沿って延出している。
【００１３】
試薬保持容器１０の材質は特に限定されないが、ポリプロピレンが好ましく、その他、ポリスチレン、ポリビニル、ポリエチレン、ポリカーボネート、ＡＢＳ、ゴムなどを用いることができる。試薬保持容器１０は、生体物質を検出するデバイスであるため、場合によっては滅菌処理が必要となる。滅菌の手法は限定されないが、ガンマ線滅菌、電子線滅菌、ガス滅菌、乾熱滅菌等が挙げられる。試薬保持容器１０のガンマ線滅菌を行う場合、容器材料に耐ガンマ線添加剤が添加されていることが望ましい。
【００１４】
本実施形態において、保持容器１０に保持される試薬は、核酸あるいは酵素の少なくとも一方を含む試薬を保持対象としている。試薬として、加熱処理される試薬、例えば、核酸増幅反応を行う試薬は、１００℃近い加熱処理が必要であるため、このような試薬を保持する保持容器１０の材料は、例えば、１２０℃までの耐熱性を持つことが好ましい。また、プライマー等の核酸試薬や酵素試薬等は紫外光により分解されてしまう。そのため、これらの試薬を保持する場合、保持容器１０は、入射光に対して９０％以上の遮光率を持つ材質で形成されていることが好ましい。
【００１５】
図２（ａ）は、試薬保持容器１０の蛇腹構造部１２が伸長した状態を示し、図２（ｂ）は、蛇腹構造部１２が収縮した状態を示している。収縮状態において、蛇腹構造部１２の内面は、互いに重なりながら収縮している。蛇腹部１２の伸長、収縮は可逆性がある。
【００１６】
図３は、蛇腹部１２内に試薬Ｔを乾燥保持した状態を示している。試薬Ｔの乾燥保持は、実際には液体の状態で試薬を上端開口から保持容器１０内に注入し、真空乾燥や加熱などにより試薬Ｔを乾燥させ、保持容器１０の内面、ここでは、蛇腹構造部１２の内面に付着させることによって実現する。予め乾燥させた試薬を保持容器１０内に導入し、蛇腹構造部１２の内面に付着させ保持してもよい。
【００１７】
上記のように構成された試薬保持容器１０によれば、試薬Ｔを蛇腹構造部１２の互いに重なる部分に保持することにより、保持容器１０に衝撃などの外的要因が作用した場合でも、試薬Ｔが飛散することを防止し、また、不必要に空気に触れることがないため、試薬が酸化することによる劣化も防止し、試薬Ｔを長期間に亘って安定して保存することが可能となる。
【００１８】
実際の検査の際には、この保持容器１０内にサンプル（検体）が流入されてくるが、その場合、図２（ａ）に示すように、予め蛇腹構造部１２を伸長しておく。蛇腹構造部１２の内表面に試薬Ｔが乾燥保持されていることから、錠剤型試薬、液体型試薬等と比較して、サンプルと試薬Ｔとの接触する面積が大きく、試薬Ｔが溶解されやすい。また、蛇腹構造部１２に液が流入することにより、凹凸のない直筒型容器と比べて容器内で乱流が発生し、試薬Ｔの溶解性を向上させることが可能となる。また、蛇腹構造１２の伸長、収縮を繰返すことにより、さらに容器内に乱流が発生し、試薬Ｔの溶解性を更に向上させることが可能となる。
【００１９】
なお、試薬保持容器１０は、上述した円筒形状に限らず、多角筒形状、楕円筒形状等、他の形状としてもよい。また、蛇腹構造部を備えている場合に限らず、図４（ａ）、図４（ｂ）に示すように、試薬保持容器１０の内面に複数の連続した凹凸１６を備えた構造、あるいは、図５に示すように、試薬保持容器１０の内面に島状の複数の凹部１８が形成された構成としてもよい。
【００２０】
次に、検体検出装置について説明する。図６は、核酸検出用の検出装置における送液カセット２０、この送液カセットに装着される複数の試薬保持容器、および検知器としてのＤＮＡチップ４０を示し、図７は、送液カセットの裏面側を示し、図８は、送液カセットを駆動機構に装填した状態を示している。
【００２１】
図６、図７、および図８に示すように、検体検出装置は、送液カセット２０と、この送液カセットを駆動する駆動機構３０とを備え、送液カセット２０は、駆動機構３０に対して脱着自在に接続されている。
【００２２】
送液カセット２０は、例えば、矩形板状に形成された基材２２を備えている。基材２２の下面は、平坦な装着面を形成している。基材２２の中央部には、基材２２の下面側に開口した矩形状の凹所からなる検査部２４が形成されている。この検査部２４を覆うように、検査器、例えば、ＤＮＡチップ４０が基材２２の下面側に装着されている。
【００２３】
基材２２には、検査部２４に気密に連通した微小流路２８が形成されている。微小流路２８の一端は、基材２２の下面側に開口した流入口２８ａに連通し、他端は、基材２２の下面側に開口した流出口２８ｂに連通している。検査部２４は、微小流路２８の中途部に連通して形成されている。微小流路２８は、例えば、０．３ｍｍ×０．３ｍｍの径に形成されている。また、基材２２には、基材の上面に開口した注入口２１が形成されている。注入口２１は、流入口２８ａと対向して位置しているとともに、脱着自在な封止栓２３によって気密に閉じられている。
【００２４】
また、基材２２の下面側には、流入口２８ａと検査部２４との間で、微小流路２８にそれぞれ連通する複数、例えば、１つの出入口２８ｃ、および３つの出入口２８ｄが形成されている。基材２２の下面において、流入口２８ａ、流出口２８ｂ、出入口２８ｃ、２８ｄの位置には、下方に突出する円柱形状のボス２５がそれぞれ形成されている。
【００２５】
送液カセット２０の流入口２８ａ、流出口２８ｂ、出入口２８ｃ、２８ｄには、抽出試薬保持容器３２ａ、廃液容器３２ｂ、増幅試薬保持容器３２ｃ、ハイブリダイゼーション試薬保持容器３２ｄ、洗浄試薬保持容器３２ｅ、検出試薬保持容器３２ｆがそれぞれ装着され、気密に接続されている。これらの容器は、前述した試薬保持容器１０と同様に構成されている。すなわち、各容器は、蛇腹構造部１２を有する円筒形状に形成され、その上端開口に送液カセット２０のボス２５が気密に嵌合された状態で、送液カセット２０に取り付けられている。これらの容器は、送液カセット２０内の微小流路２８を通じて接続されている。
【００２６】
各容器３２ａ〜３２ｆは、送液カセット２０の下面に対して垂直な方向に伸縮自在に取り付けられ、容器の把持部１４は、容器から下方に向かって突出している。これらの容器３２ａ〜３２ｆは、サンプル液量及び保持試薬量等によって内容積が互いに異なっている。また、検出する核酸の種類が多い場合は、増幅試薬保持容器３２ｃを複数設け、複数種類の増幅用プライマーを用意することも可能である。
【００２７】
容器３２ａ〜３２ｆは、それぞれ伸縮自在な蛇腹構造部１２を有していることから、この容器を伸縮することにより内部容積が変化し、マイクロポンプとしても機能することができる。基材２２の下面側の四隅には、基材２２を支持する４本の支持脚２６が立設されている。
【００２８】
図８に示すように、検体検出装置の駆動機構３０は、ベース３２と、ベースに設けられ、それぞれ抽出試薬保持容器３２ａ、廃液容器３２ｂ、増幅試薬保持容器３２ｃ、ハイブリダイゼーション試薬保持容器３２ｄ、洗浄試薬保持容器３２ｅ、検出試薬保持容器３２ｆを伸縮させる昇降自在なプランジャ３４ａ、３４ｂ、３４ｃ、３４ｄを有している。プランジャ３４ａ、３４ｂ、３４ｃ、３４ｄの先端部には、対応する容器３２ａ〜３２ｆの把持部１４を把持するチャック３７が設けられている。また、駆動機構３０は、容器内の試薬あるいは検査液を加熱処理するための図示しない加熱機構、および図示しない核酸検出機構を備えている。
【００２９】
送液カセット２０は、支持脚２６により駆動機構３０のベース３２上に載置され、容器３２ａ〜３２ｆの把持部１４は、対応するプランジャのチャック３７によって把持される。
【００３０】
次に、上記のように構成された検体検出装置を用いて核酸検出を行う手順について説明する。  
まず、基材２２の検査部２４を覆うように、例えば、ＤＮＡチップ４０を基材２２の下面側に装着し、保持する。ＤＮＡチップには、所望の核酸プローブが形成されている。このような送液カセット２０を駆動機構３０上に載置し、複数の保持容器３２ａ〜３２ｄの把持部１４を対応するプランジャ３４ａ〜３４ｄのチャック３７により把持する。抽出試薬保持容器３２ａは伸張した状態に維持され、他の容器は、収縮した状態としておく。
【００３１】
続いて、封止栓２３を取り外し、注入口２１および流入口２８ａを通して、所定量のサンプル（検査液体）を抽出試薬保持容器３２ａに注入する。抽出試薬保持容器３２ａには予め抽出試薬が乾燥保持されている。これにより、注入されたサンプルと抽出試薬とが混合される。次に駆動機構３０の加熱機構によって抽出試薬保持容器３２ａ内のサンプルおよび抽出試薬を煮沸し、抽出反応を行う。なお、抽出反応は送液カセット２０外で予め行い、抽出済みのサンプルを送液カセットの試薬保持容器に注入しても構わない。
【００３２】
続いて、プランジャ３４ａにより抽出試薬保持容器３２ａを下から押圧して収縮させる。これにより、抽出試薬保持容器３２ａ内のサンプルを所定量、押し出し、微小流路２８を通して増幅試薬保持容器３２ｃ内に移動させる。この際、微小流路２８は密閉構造であり、流路内部の体積を一定とする必要がある。そのため、増幅試薬保持容器３２ｃについては、駆動機構３０のプランジャ３４ｃにより、抽出試薬保持容器３２ａの収縮動作に同期して、蛇腹を伸ばす、すなわち、伸張動作を行う。これにより、抽出試薬保持容器３２ａ、および増幅試薬保持容器３２ｃの内部容積を含む、流路内部の体積を一定に維持する。  
増幅試薬保持容器３２ｃ内には増幅反応用のプライマーセット、酵素、バッファが予め乾燥保持されており、送液されたサンプルと混合される。次いで、加熱機構によってサンプルを加熱し、核酸増幅反応を行う。核酸増幅反応は、特に限定されないが、ＰＣＲ、ＬＡＭＰ、ＳＭＡＰ法などである。
【００３３】
続いて、プランジャ３４ｃにより増幅試薬保持容器３２ｃを下から押圧して収縮させるとともに、プランジャ３４ｄによりハイブリダイゼーション試薬保持容器３２ｄを伸張させる。これにより、増幅試薬保持容器３２ｃ内のサンプルを所定量、押し出し、微小流路２８を通してハイブリダイゼーション試薬保持容器３２ｄ内に移動させる。ハイブリダイゼーション試薬保持容器３２ｄ内にはハイブリダイゼーション反応用バッファが予め乾燥保持されており、送液されたサンプルと混合される。
【００３４】
次に、プランジャ３４ｄによりハイブリダイゼーション試薬保持容器３２ｄを下から押圧して収縮させる。これにより、ハイブリダイゼーション試薬保持容器３２ｄ内のサンプルを所定量、押し出し、微小流路２８を通して検査部２４に送液し、ＤＮＡチップ４０に供給する。核酸検出用のＤＮＡチップ４０には予め核酸検出用の核酸プローブが固定化されている。そして、加熱機構によってＤＮＡチップ４０を加熱することにより、サンプルとハイブリダイゼーション反応を行う。
【００３５】
これに同期して、プランジャ３４ｂにより廃液容器３２ｂを伸張させ、検査を行いながら、サンプルを、検査部２４から微小流路２８を通して廃液容器３２ｂに移動させる。次に、プランジャにより洗浄試薬保持容器３２ｅを押し上げて収縮させ、予め洗浄試薬保持容器３２ｅ内に収容されていた洗浄試薬を微小流路２８を通してＤＮＡチップ４０上に移動させる。更に、加熱機構によってＤＮＡチップ４０を加熱することにより、非特異的に吸着したサンプルを洗浄試薬により除去する。
【００３６】
続いて、プランジャ３４ｂにより廃液容器３２ｂを伸張させ、ＤＮＡチップ４０上の洗浄試薬を廃液容器３２ｂに移動させる。更に、プランジャにより検出試薬保持容器３２ｆを押し上げて収縮させ、予め洗浄試薬保持容器３２ｅ内に収容されていた検出試薬を微小流路２８を通してＤＮＡチップ４０上に移動させる。ＤＮＡチップ４０上のサンプルと検出試薬を反応させた後、検出試薬からの信号を検出することによってサンプル中に含まれる核酸の種類を特定することができる。核酸検出法は特に限定されないが、蛍光試薬を用いた蛍光検出法や、電気化学活性試薬を用いた電流検出法などである。
【００３７】
検査終了後、送液カセット２０を駆動機構３０のベース３２から取り外し、更に、ＤＮＡチップ４０を基材２２から取り外した後、必要であれば、送液カセット２０を破棄する。
【００３８】
（実施例１）  
以下に、上記実施形態の送液カセットを用いた核酸検出の使用例を具体的に説明する。  
１．検体検出装置の準備  
１−１．試薬保持容器の準備  
以下、５つの試薬保持容器にそれぞれ試薬を注入した。  
１）抽出試薬保持容器：抽出用バッファ  
２）増幅試薬保持容器：マウス2C39増幅用LAMPプライマー（配列A〜D）、酵素、増幅用バッファ  
３）ハイブリダイゼーション試薬保持容器：SSC  
４）洗浄試薬保持容器：SSC  
５）検出試薬保持容器：ヘキスト33258  
次に、上記１）、２）、３）については、真空乾燥処理を行い、容器の蛇腹構造部に試薬を乾燥固定させた。
【００３９】
１−２．核酸検出用チップの準備  
電流検出式の核酸検出用チップ上の各電極に、以下に示す３種類の核酸検出用プローブ（配列E〜G）を固定化した。  
１）マウス2C39検出用（配列E）  
２）マウス2C29検出用（配列F）  
３）マウスNAT1検出用（配列G）
１−３．核酸検出用デバイスの組立  
送液カセット２０に対し、図３に示すように、上記５つの試薬保持容器、廃液容器、核酸検出用チップを装着した。
【００４０】
２．核酸検出用デバイスを用いた核酸検出  
まず、粗抽出済みのマウス2C39配列を持つサンプルをサンプル注入口２１から注入し、抽出試薬保持容器３２ａ内で抽出用バッファと混合させたのち、９５℃で５分保持することで抽出反応を行った。抽出済みサンプルを増幅試薬保持容器３２ｃに送液し、増幅試薬と混合した後、６３℃で４０分保持することで増幅反応を行った。
【００４１】
増幅済みサンプルを核酸検出用のＤＮＡチップ４０に送液し、４５℃で１０分保持することでチップ上の核酸検出用プローブとハイブリダイゼーション反応を行った。増幅済みサンプルを廃液容器３２ｂに移動させた後、洗浄試薬保持容器３２ｅから洗浄試薬を核酸検出用チップ上へ送液し、３０℃で５分保持することで、非特異的に吸着した核酸を除去した。
【００４２】
洗浄試薬を廃液容器３２ｂに送液したのち、検出試薬保持容器３２ｆから検出試薬を核ＤＮＡチップ４０上に送液し、室温で３分保持することで検出試薬を核酸と反応させた。最後にＤＮＡチップ４０の各電極から得られる電流値を測定することによって核酸検出を行った。
【００４３】
３．結果  
各電極から得られた電流値を図９に示す。2C39検出用のプローブが固定化された電極からは、他の電極と比較して有意に大きな電流値が得られていることから、サンプル中の2C39配列が以下の通りに検出されたことがわかった。
【００４４】
A：TCAAAACGATCCTGGAAAATAATGGACATTCATTCTGAGCTGTGC  
B：GGAAAAACTAAATGAGAATGTCAAGGAGAAAAAACATTCTTGACTTC  
C：TTCAGGCTCACCTTGTGA  
D：CTGTGGCAATAAAGCACC  
E：CTCCCCATGATTGCAGGTGA  
F：GTCCAGAGATTCATCGACCTCCTC  
G：CAGGTGACCATCAGTGACAGG
上記のように構成された検体検出装置によれば、試薬保持容器をマイクロポンプとして用いることができ、流路内の空気の膨張、収縮に影響されることなく、微小量の検査液体を安定して送液することができる。マイクロポンプの収縮量により送液量を決めることができ、正確な量の液体を安定して送ることが可能となる。
【００４５】
送液カセットについては、使用目的にもよるが、使い捨てが望まれる場合が多い。そのため、流路部品の価格は可能な限り安価が望ましい。本実施形態によれば、マイクロポンプを動作させるための駆動機構や加熱機構は、流路部品の一部ではなく、容易に切り離すことを可能としている。また、マイクロポンプとして機能するし試薬保持容器は、合成樹脂等によって蛇腹構造に形成されたものであり、一般的に市販されているダイヤフラム構造を用いたマイクロポンプ等に比較して、非常に安価に形成することができる。そのため、送液カセットを安価に製造することができ、送液カセットを駆動機構から取り外し、容易に使い捨てとすることが可能となる。
【００４６】
以上のことから、微小量の液体を安定して送液することができるとともに、プロセスの追加や流路部品を使い捨て構造とすることが可能な送液装置が得られる。
【００４７】
この発明は上述した実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
検出装置の各構成部材の形状、寸法、材質等は、前述した実施形態に限定されることなく、必要に応じて、変更可能である。
【符号の説明】
【００４８】
１０…試薬保持容器、１２…蛇腹構造部、１４…把持部、Ｔ…試薬、
２０…送液カセット、２２…基材、２４…検査部、２８…微小流路、
２１…注入口、２８ａ…流入口、２８ｂ…流出口、３２ａ…抽出試薬保持容器、
３２ｂ…廃液容器、３２ｃ…増幅試薬保持容器、
３２ｄ…ハイブリタイゼーション試薬保持容器、３０…駆動機構、３２…ベース、
３４ａ、３４ｂ、３４ｃ、３４ｄ…プランジャ
【図１】
2010217102.tif 000003
【図２】
2010217102.tif 000004
【図３】
2010217102.tif 000005
【図４】
2010217102.tif 000006
【図５】
2010217102.tif 000007
【図６】
2010217102.tif 000008
【図７】
2010217102.tif 000009
【図８】
2010217102.tif 000010
【図９】
2010217102.tif 000011